(57)【要約】【課題】絶縁性を確保しつつ、小型化を図る。【解決手段】トランス本体１２をケース部材１３の内部空間に収納する。このとき、ケース部材１３の一側面１３ａに形成した開口部３０からトランス本体１２を挿入可能な構造とする。これにより、トランス本体１２をケース部材１３に対して取り付けることが容易とすることができる。また、開口部３０が形成された部位を除く全周に渡ってトランス本体１２がケース部材１３によって囲まれた構造とされていることから、高い絶縁性を確保することができる。【選択図】  図１
2004296824.tif 000002
【特許請求の範囲】
【請求項１】
磁気コアに少なくとも１次巻線及び２次巻線を巻装してなるトランス本体と、
前記トランス本体を収納するケース部材とを備え、
前記ケース部材は、非磁性非導電性材料によって形成され、前記トランス本体と当該トランス本体が配設される回路基板との間に位置する側を除く一面に設けられた開口部から前記トランス本体が挿入される形状とされていること
を特徴とするトランス装置。
【請求項２】
前記開口部は、前記ケース部材の側面に設けられ、
前記ケース部材における前記回路基板側に位置する主面には、前記トランス本体から前記回路基板側に突出された端子を外方に臨ませた状態で案内する案内孔部が形成されていること
を特徴とする請求項１記載のトランス装置。
【請求項３】
前記ケース部材における前記回路基板とは反対側に位置する主面には、前記２次巻線に接続されたリード線を外方に取り出す孔部が形成されていること
を特徴とする請求項１記載のトランス装置。
【発明の詳細な説明】
【０００１】
【発明の属する技術分野】
本発明は、磁気コアに少なくとも１次巻線及び２次巻線を巻装してなるトランス本体を収納するトランス装置に関する。
【０００２】
【従来の技術】
従来から、各種の電子・電気機器には、電圧を変換するトランス装置が搭載されている。従来のトランス装置１００は、図２に示すように、１次巻線及び２次巻線が巻回されてなる磁気コア１０１と、これら１次巻線及び２次巻線にそれぞれ接続され、トランス装置１００が配設される回路基板１５０側に突出する１次端子１０２及び２次端子１０３と、２次巻線に接続されたリード線１０４とを備えている。
【０００３】
ところで、トランス装置１００においては、２次巻線から引き出されたリード線１０４と、トランス装置１００を構成する他の各部、或いは回路基板上で隣接する他の電子・電気部品との間で絶縁性を確保することが重要となる。このため、従来のトランス装置１００においては、図２に示すように、リード線１０４が引き出される側の一側に非磁性非導電性材料からなるスペーサ１０５を備えることで、絶縁性を確保している。
【０００４】
また、トランス装置１００では、２次端子１０３における他の各部との絶縁性を確保するために、この２次端子１０３と磁気コア１０１等の各部とを十分な距離だけ離間させている。
【０００５】
なお、トランス装置１００は、例えば樹脂材料によって形成された取付用フック１０６が配設されており、この取付用フック１０６を回路基板１５０の裏面側に嵌合させることによって、回路基板１５０に対して固定される構造とされている。
【０００６】
【発明が解決しようとする課題】
ところで、従来のトランス装置１００においては、例えば搭載対象とする機器に衝撃が加わるなどしたときにリード線１０４が動いてしまう場合があり、上述のようにスペーサ１０５を設けた場合であっても、リード線１０４がトランス装置１００を構成する他の各部、或いは回路基板上で隣接する他の電子・電気部品に対して接触してしまう虞があった。
【０００７】
また、従来のトランス装置１００においては、２次端子１０３と磁気コア１０１等の各部とを十分な距離だけ離間させる必要があるため、装置全体として小型化を図ることに限界があった。
【０００８】
そこで、本発明は、上述した従来の実情に鑑みてなされたものであり、装置を構成する各部や周囲に存在する他の電気・電子部品との間での絶縁性を確実に確保することができるとともに、小型化に貢献することが可能なトランス装置を提供することを目的とする。
【０００９】
【課題を解決するための手段】
本発明の請求項１に係るトランス装置は、磁気コアに少なくとも１次巻線及び２次巻線を巻装してなるトランス本体と、前記トランス本体を収納するケース部材とを備え、前記ケース部材は、非磁性非導電性材料によって形成され、前記トランス本体と当該トランス本体が配設される回路基板との間に位置する側を除く一面に設けられた開口部から前記トランス本体が挿入される形状とされていることを特徴とするものである。
【００１０】
以上のように構成された本発明の請求項１に係るトランス装置は、トランス本体がケース部材の内部に収納され、ケース部材における開口部が形成された部位を除く全面がケース部材に囲まれてなることから、各部同士の間、及び隣接する他の電子・電気部品との間における絶縁性を向上させることができる。また、開口部からトランス本体を挿入することによってトランス本体をケース部材の内部に収納することができるため、組み立て工程を簡略化して低コスト化を図ることができる。
【００１１】
本発明の請求項２に係るトランス装置は、請求項１記載の構成に加えて、前記開口部は、前記ケース部材の側面に設けられ、前記ケース部材における前記回路基板側に位置する主面には、前記トランス本体から前記回路基板側に突出された端子を外方に臨ませた状態で案内する案内孔部が形成されていることを特徴とするものである。
【００１２】
以上のように構成された本発明の請求項２に係るトランス装置は、案内孔部が形成されていることから、トランス本体から突出する端子を外方に臨ませた状態で案内して、トランス本体をケース部材の内部に挿入することができる。また、トランス装置を回路基板に取り付けるに際して、案内孔部から外方に臨む端子を回路基板に形成された配線パターンに接続することができる。さらに、２次巻線に接続された端子を装置全体の中心部に対してより近接して配設することによって、装置全体の小型化を図ることができる。
【００１３】
本発明の請求項３に係るトランス装置は、請求項１記載の構成に加えて、前記ケース部材における前記回路基板とは反対側に位置する主面には、前記２次巻線に接続されたリード線を外方に取り出す孔部が形成されていることを特徴とするものである。
【００１４】
以上のように構成された本発明の請求項３に係るトランス装置は、ケース部材における回路基板とは反対側に位置する主面、すなわち、トランス本体の１次巻線又は２次巻線に接続された端子や回路基板に対して最も遠い側の面にリード線を取り出すための孔部が形成されている。このため、リード線と他の各部との絶縁性をより一層確実とすることができる。
【００１５】
【発明の実施の形態】
以下、本発明の実施の形態について、図面を参照しながら詳細に説明する。以下では、本発明を適用して構成した一具体例として、図１に示すトランス装置１０について説明する。
【００１６】
トランス装置１０は、図１に示すように、磁気コア１１に少なくとも１次巻線及び２次巻線を巻装してなるトランス本体１２と、このトランス本体１２を収納するケース部材１３とを備えている。
【００１７】
トランス本体１２は、１次巻線及び２次巻線にそれぞれ接続され、トランス装置１０が配設される回路基板５０側に突出する１次端子２０及び２次端子２１と、２次巻線に接続されたリード線２２とを備えている。
【００１８】
ケース部材１３は、非磁性非導電性材料によって形成されており、一側面１３ａにトランス本体１２を挿入するための開口部３０が形成されている。また、ケース部材１３には、トランス本体１２をケース部材１３内に挿入する際に、トランス本体１２から突出する１次端子２０及び２次端子２１を外方に臨ませた状態で案内する案内孔部１３ｂが回路基板５０側の主面（以下、底面と称する。）に位置して形成されている。
【００１９】
また、ケース部材１３には、底面に対向する主面（以下、上面と称する。）に位置して、トランス本体１２のリード線２２を外方に取り出すための孔部１３ｃが形成されている。また、トランス装置１０においては、トランス本体１２が２次巻線側からケース部材１３内に挿入される構成とされており、孔部１３ｃが、上面における開口部３０から最も遠い一側の近傍に形成されている。すなわち、トランス装置１０においては、開口部３０が形成された一側面１３ａに対向する側面１３ｄ側にトランス本体１２の２次巻線が位置し、開口部３０が形成された一側面１３ａ側にトランス本体１２の１次巻線が位置する状態で、トランス本体１２がケース部材１３の内部空間に収納される。
【００２０】
また、ケース部材１３には、上面に位置して、開口部３０が形成された一側の近傍に、トランス本体１２に設けられた突起部１２ａに嵌合する嵌合孔部１３ｅが形成されている。トランス装置１０においては、トランス本体１２がケース部材１３に所定位置まで挿入された際に、嵌合孔部１３ｅがトランス本体１２の突起部１２ａに対して嵌合することにより、トランス本体１２とケース部材１３とが固定されることとなる。トランス装置１０は、嵌合孔部１３ｅと突起部１２ａとを嵌合させることによってトランス本体１２とケース部材１３とを固定する構造とされていることから、固定用の部材などを設けることが不要とされている。
【００２１】
以上のように構成されたトランス装置１０では、トランス本体１２がケース部材１３の内部に収納され、ケース部材１３における開口部３０が形成された部位を除く全面がケース部材１３に囲まれてなることから、各部同士の間、及び隣接する他の電子・電気部品との間において、高い絶縁性が確保されている。また、開口部３０からトランス本体１２を挿入することによってトランス本体１２をケース部材１３の内部に収納することができるため、組み立て工程を簡略化して低コスト化を図ることができる。
【００２２】
また、トランス装置１０は、案内孔部１３ｂが形成されていることから、トランス本体１２から突出する１次端子２０及び２次端子２１を外方に臨ませた状態で、トランス本体１２をケース部材１３の内部に挿入することが可能とされている。また、トランス装置１０は、案内孔部１３ｂによって１次端子２０及び２次端子２１を回路基板５０側に突出させており、回路基板５０に取り付けた際に、これら１次端子２０及び２次端子２１を回路基板５０に形成された配線パターンに接続することが可能とされている。さらに、トランス装置１０は、回路基板５０側の主面（底面）がケース部材１３によって覆われていることから、２次端子２１を装置全体の中心部に対してより近接して配設した場合であっても十分な絶縁性を確保することができ、この結果として装置全体の小型化を図ることが可能とされている。
【００２３】
さらに、トランス装置１０においては、ケース部材１３における回路基板５０とは反対側に位置する主面（上面）、すなわち、トランス本体１２の１次端子２０及び２次端子２１や回路基板５０に対して最も遠い側の面にリード線２２を取り出すための孔部１３ｃが形成されている。このため、リード線２２と他の各部との絶縁性をより一層確実とすることが可能とされている。
【００２４】
また、トランス装置１０は、例えば外部から衝撃が加わるなどした場合にリード線２２が動いてしまった場合であっても、このリード線２２が引き出された側が全周に渡ってケース部材１３に囲まれているため、リード線２２がトランス装置１０を構成する他の各部と接触してしまうことがない。
【００２５】
なお、本例におけるトランス装置１０は、回路基板５０の裏面側まで突出させた１次端子２０及び２次端子２１を、この回路基板５０の裏面側に形成された配線パターンに半田付けすることによって、回路基板５０に固定される構造とされている。ただし、例えば、ケース部材１３の回路基板５０側の主面（底面）に、従来のトランス装置に備えられたものと同様な取付用フックを一体に形成し、この取付用フックを回路基板５０の裏面側に嵌合させることによって回路基板５０に固定される構造としてもよい。
【００２６】
【発明の効果】
本発明によれば、トランス本体がケース部材の内部に収納され、ケース部材における開口部が形成された部位を除く全面がケース部材に囲まれてなることから、各部同士の間、及び隣接する他の電子・電気部品との間における絶縁性を向上させることができる。また、開口部からトランス本体を挿入することによってトランス本体をケース部材の内部に収納することができるため、組み立て工程を簡略化して低コスト化を図ることができる。また、絶縁性を向上させることができることから、例えば、２次巻線に接続された端子を装置全体の中心部に対してより近接して配設することなどによって、装置全体の小型化を図ることができる。
【図面の簡単な説明】
【図１】本発明の実施の形態として示すトランス装置を示す概略図である。
【図２】従来構造のトランス装置を示す概略図である。
【符号の説明】
１０    トランス装置
１１    磁気コア
１２    トランス本体
１３    ケース部材
１３ｂ  案内孔部
１３ｃ  孔部
２０    １次端子
２１    ２次端子
２２    リード線
３０    開口部
【図１】
2004296824.tif 000003
【図２】
2004296824.tif 000004